(57)【要約】【課題】  従来の絹繊維に、紙類、絹以外の繊維素材、または皮革等を使用した吊り下げ装飾品とは異なり、全体に天蚕糸、家蚕糸、野蚕糸、柞蚕糸の正絹等を使用し、天然植物と生絹のみの特殊形態方式にて構成し、室内装飾品として自然にやさしい環境生活を発揮させる。【解決手段】  丹後チリメン織物に使用されている絹繊維を用い、２８／中２平程度の生糸を８割、３１／中２本程度の生糸を２割の配分とし、のりの水溶液に漬け加工して５ｍｍ程度の厚さに形成させた不織布を天日に干し、乾燥し、約６０ｋｇの重圧をかけて１ｍｍ程度の厚さに種々の密度にて形成させた不織布を、２枚程度を接着して吊り下げ装飾品に形成させる。【選択図】  図１
2005081834.tif 000002
【特許請求の範囲】
【請求項１】
２８／中２平程度の生糸を８割、３１／中２本平程度の生糸を２割の配分とし、ポリビニールアルコールにて組成されたのりの水溶液に漬け、よくかき混ぜ、竹ひご線条スノコにて透過させ５ｍｍ程度の厚さに形成させた不織布を天日に干し、乾燥させ、表面を約６０ｋｇの重さにて重圧をかけ、両面を紙風に形成させ、両面に耐熱性ポリマーシリコンの仕上げ用のりをかけながら、家庭用アイロンにて５ｍｍ程度の厚さを１ｍｍ程度の厚さに構成された表面糸台と裏面糸台を酢酸ビニール樹脂の接着用ボンドにて互いに接着構成した吊り下げ装飾品の構造。
【請求項２】
互いに１ｍｍ程度に接着構成された表面糸台と裏面糸台の生糸の形態密度が、互いに同一密度形態に形成されている場合、表面糸台は高密度に裏面糸台は中密度にて、または、逆に表面糸台は中密度に裏面糸台は高密度にて耐熱性ポリマーシリコンにて接着形成させた請求項１記載の吊り下げ装飾品の構造。
【請求項３】
押し花を表面糸台上に乗せ、その上並びに周囲に表面振りかけ糸を網目になるよう指にて振りかけ、その上に仕上げ用のりをかけ押し花を押さえて構成した請求項１、請求項２記載の吊り下げ装飾品の構造。
【請求項４】
互いに１ｍｍ程度に接着構成された表面糸台と裏面糸台の生糸に多色の振りかけ糸を選別混入させ接着形成させた請求項１、請求項２、請求項３記載の吊り下げ装飾品の構造。
【請求項５】
本発明の吊り下げ装飾品の下部に竹棒を麻紐にて吊り下げ構成させ、上部には保持形態の上麻紐を構成させ、表面糸台紙に押し印を構成させた請求項１、請求項２、請求項３、請求項４記載の吊り下げ装飾品の構造。
【請求項６】
全形が四角形態、三角形態、円形態、楕円形態に、並びにかかる形態を組合せ複合形態にて選別構成された請求項１、請求項２、請求項３、請求項４記載の表面糸台と裏面糸台を酢酸ビニール樹脂の接着用ボンドにて互いに接着選択構成した吊り下げ装飾品の構造。
【請求項７】
本発明の吊り下げ装飾品の裏面部に、別に板を張付け構成した構造、表面部に別に格子枠を張付け構成した構造、更に竹格子枠に花受け、または絹繭を複合形態にて構成させた請求項１、請求項２、請求項３、請求項４、並びに請求項６記載の表面糸台と裏面糸台を酢酸ビニール樹脂の接着用ボンドにて互いに接着選択構成した吊り下げ装飾品の構造。
【発明の詳細な説明】
【技術分野】
【０００１】  本発明は、室内の壁、扉、廊下、玄関、車の室内等の平滑な面に吊り下げて飾る装飾品に関する。
【背景技術】
【０００２】  従来、この種類の吊り下げ装飾品には紙や織物を素材にした壁掛けや、コウゾ繊維で作られた黒部和紙とか、丹後和紙等を素材にした自然に優しい壁掛けや、押し花を種々の台座に貼りつけた、例えば色紙台座等に押し花に接着剤を直接塗布して台紙に貼りつけ固定する等、種々の手芸方式にて定着させるめのシートを押し花の上に被せ、アイロン等により平面熱源を与え、押し花等を熱接着してなる装飾品が殆どであった。【０００３】  従来の装飾品に押し花を定着したものとして実用新案出願したものがある（例えば、特許文献１参照。）。【０００４】  また、何らの動力も必要としないで自然に消臭と香りの蓄積放散を行うエレメントを主体に壁掛けとして実用新案出願したものがある（例えば、特許文献２参照。）。【０００５】  以下、図５、図６により従来の壁掛け装飾品について説明する。図５において押し花４５定着熱源４４が押し花４５を台材４０に熱接着するように、基台４１の片面に熱可塑性樹脂４２を被覆した台材４０と、指圧可能な定着熱源４４と、押し花４５を載置した基台４０と熱源４４との面間に、一時的に介在させる電熱シート４３を具備し、基台４０と押し花４５との間に熱可塑性樹脂層４２を設けて押し花４５を熱接着したものであった。【０００６】  図６では裏板６５の前面に、平面状に成形された悪臭の吸着消臭機能又は香りを放散する機能を有するエレメント６４を主体に、それに直径０．１〜１０ｍｍの微細孔６３を有する通気性を持たせた金属又はプラスチック性の飾り板６２とを全面に重ねて形成させた壁掛け構造であった。【０００７】
【技術文献１】
登録実用新案第３０１７４４７号公報  （第５頁、第１図）
【技術文献２】
実用新案公開平０７−３１４００号公報  （第２頁、第２図）
【発明の開示】
【発明が解決しようとする課題】
【０００８】  以上述べた従来の壁掛け装飾品については、押し花を台材に熱接着してそのまま装飾品として実用に供するようにした押し花定着したものである。（技術文献１参照）
また、住まいの空間における臭いの問題を解決するにあたり特別な装置が使用されていることを意識させず、また、使用にあたり何等の動力も必要としないで自然に臭気と香りの長期間蓄積放散を行う機能を中心に持ち、主に調度品として臭気成分のコントロールが可能な壁掛けとして機能を提供したものであった。（技術文献２参照）【０００９】  本発明は、このような従来の構成が示している形態、即ち、基台が紙類を含む繊維素材または皮革等の可撓性素材使用（技術文献１参照）とは異なり、また飾り板が通気性を持たせた金属またはブラスチック性の板使用（技術文献２参照）とも異なり、本発明は全体に天蚕糸、家蚕糸、野蚕糸、柞蚕糸の正絹を使用し、自然環境に則した自然にやさしい植物と生絹のみにて、また臭気を生糸に含ませ絹糸を重ね特殊加工方式にて構成し、香りの良い吊り下げ装飾品を生活環境に与えることを目的とするものである。
【課題を解決するための手段】
【００１０】  本発明は上記目的を達成する為に丹後チリメン織物に使用されている絹繊維を用い、即ち、主成分のフィブロインと、これを包むセリシンの異質のタンパク質で構成され、除かれない蛋白質（セリシン）を巧みに利用して各種の独特の風合いをもつ絹繊維を用い、経て緯の織物組織でなく、天蚕糸、家蚕糸、野蚕糸、柞蚕糸から取った生糸繊維を１ｍｍから６ｍｍに、先染め繊維を５ｍｍから１０ｍｍに切断構成した絹糸を用い、不織絹糸布形態の自由に重ね構成にて形成させる。即ち、他の繊維には無い天蚕糸、家蚕糸、野蚕糸、柞蚕糸から生糸及びそれを先染めしたフェルト・不織布形式の重ね形態の生糸層にて構成させたものである。【００１１】  本発明は丹後チリメン織りに精錬加工する必要があるのと異なり、使用する不織絹糸には生糸からセリシン、即ち蛋白質を除くと本発明の工芸品用とはならないため精錬加工しないで使用する。即ちセリシンを除いて使用するとふにゃふにゃになり本発明の構成には合致しないから使用にあたり検査を行い十分注意する。
【発明の効果】
【００１２】  丹後チリメン織物等丹後地場産業を進展させる目的のため、絹織物のチリメン織物を発想転換をさせ、チリメン織りに使用する生糸を使用し、丹後地場の発展の為めに織物効果を更に実感させる室内の吊り下げ絹装飾品として提供する。
【発明を実施するための最良の形態】
【００１３】  発明を実施するための本発明の最良の形態として、生糸として主に下記の糸にて生糸の密度がキツイ状態にて構成させる。
●生糸：２８／中２平が主体となり構成。
その他２１／中３本駒撚り、２１／中６駒、３１／中１０本平、３１／中６本          平、３１／中２本平等の使用が好ましい。
●先染糸：３１／中２本平が主体となり構成。
その他３１／中２本駒撚り、２８／中２本平、２１／中８本平、２１／中４本          平等の使用が好ましい。【００１４】  上記天蚕糸、主に家蚕糸から取った生糸を１ｍｍから６ｍｍの長さに細く切断する。
同様に天蚕糸、主に家蚕糸から取った先染糸も５ｍｍから１０ｍｍの長さに変化を持たせて構成させ、これを不織布形式の形態の生糸層に形成させる。【００１５】  次に、用意する材料として下記のものが予め用意される。
●竹：太さ１ｃｍ、長さ１２．３ｃｍのものを１本。
●麻紐：太さ２ｍｍ、長さ５０ｃｍのものを１本。
●押花が完了したモミジを大小１枚づつ。
●のり（市販品）：成分はポリビニールアルコールにて本体の構成に使用する。
●仕上げ用のり（市販品）：成分は耐熱性ポリマーシリコンにてモミジを乗せる場合      、網目状態に構成使用する。
●ボンド（接着用）：成分は酢酸ビニール樹脂。
●印スタンプ用インキ（市販品）：成分は顔料系インキにて構成する。【００１６】  本発明の一実施例について添付図面を参照して説明する。【００１７】  図１、図２の図面形態に加工する前に、まず、２８／中２平等の生糸を８割、３１／中２本平等の先染め生糸を２割の配分にて、のりの水溶液即ちポリビニールアルコールに約３分間ほど漬けながらよくかき混ぜ、竹ひごを線条で編んだ水がやっと漏れるスノコの上にスプーンで少しづつ乗せて約１２ｃｍ角の大きさに５ｍｍ程度の厚さに揃えて形成させる。この場合、側面は毛羽が出るように指で丁寧に追加工を行う。
また、本発明の装飾品に臭いを染込ませる場合には、この行程にてスプレー式にて香料をしみ込ませる。【００１８】  次に、全体を揃え終わると天日に干し、２日間乾燥させる。乾燥が終了すると、表面がざらざらとなる為め、表面を約６０ｋｇの重りにて２日間重圧し、表裏の糸台１、７を紙風にやっと形成させる。【００１９】  次に、形成された表面を字が書ける位いつるつるにするため、両面に耐熱性ポリマーシリコンの仕上げ用のりをかけながら、家庭用アイロンにて１０秒間、表裏を２回づつ掛けながら表裏の糸台１、７を各々１ｍｍ位いの厚さに仕立てる。【００２０】  次に、糸台１の表にもみじ３ａ、３ｂを乗せ、その上に無染めか先染めされた表面振りかけ絹糸２ａ、２ｂを網目になるように指にて振りかけ、その上に仕上げ用のりをかけてもみじ３ａ、３ｂを押さえる。【００２１】  表面糸台１、裏面糸台７は高密度の不織布形式の形態にて生糸層厚さ１ｍｍ位いに一体に圧着形成されているが、０．５ｍｍ程度の生糸層が２枚接着して形成されてもよい。【００２２】  図２に示す裏面糸台７の台中には黒色の裏面振りかけ糸８が混入されていても、混入されていなくても、いろんな色が挿入されていても、また、表面糸台１の台中に挿入されてもよく、勿論、振りかけ糸８が全然混入しなくても差し支えない。【００２３】  表裏の糸台１、７の不織布の形態、即ち生糸の形成密度には同一密度形態方式のものも可能であるが、一般には同じ厚さの糸台１、７に形成密度に変化を持たせ、例えば、図１の表面糸台１は高密度に不織布を形成し、図２に示す裏面糸台７は中密度にて耐熱性ポリマーシリコンにて形成させる今までに無い大きな特長を保持している。【００２４】  本発明の吊り下げの装飾品として形成され、図１、図２において糸台１、７の下部には竹棒５に麻紐６ａ、６ｂが挟んで設けられ、即ち麻紐６ａ、６ｂは糸台１、７の間に例えば６ａ−１、６ａ−２方式にて挟まれ糸台１、７が確り飾れるように、また、上部は上麻紐４にて保持され糸台１、７の間は上麻紐４の端部が絹紙４−１にて両面から挟み、上麻紐接着ボンド４−２にて固着される。【００２５】  作業が終了して４時間経てば最後に表面台紙１に印１０を押し、芸術性を高揚した吊り下げ装飾品ができ上がる。
【産業上の利用可能性】
【００２６】  絹チリメン織物で日本で有名な丹後産地で、繊維産業が外国に流れ去る今日、本発明が丹後の発展を願っている人、手作業を主体に老人の仕事に意欲がある人、リハビリの役に共同作業所の人達に、丹後チリメン産業が消滅に至らないように他の繊維には無い天蚕糸、家蚕糸から生糸及びそれを先染めしたフェルト・不織布形式の重ね形態の新しい生糸層にて構成された芸術的手作業部門を開き、産業上の利用可能性を産地に与える効果がある。【００２７】  産業上の利用の可能性として、本発明の吊り下げ装飾品の構成形態を維持し、四角形態、三角形態、図７の円形態とか、種々の形態に外観構成させたり、また、別に図８に示す板を本発明の装飾品に張付けたり、更に図９に示すように竹格子枠と複合形態に形成したりして産業上の利用可能性を産地に与える効果がある。
【図面の簡単な説明】
【００２８】
【図１】本発明の実施形態を示す表面図
【図２】本発明の実施形態を示す裏面図
【図３】同吊り下げ装飾品の図１におけるＡ−Ａ断面図
【図４】本発明の形態を示す斜視図
【図５】従来の押し花装飾品の断面図
【図６】従来の壁掛けの額縁の断面図
【図７】本発明の別の形態を示す外観図
【図８】本発明の別の形態を示す外観図
【図９】本発明の別の形態を示す外観図
【符号の説明】
【００２９】１：表面糸台
２ａ、２ｂ：表面振りかけ糸
３ａ、３ｂ：もみじ
４：上麻紐
４−１：絹紙
４−２：上麻紐接着ボンド
５：竹棒
６ａ、６ａ−１、６ａ−２、６ｂ：麻紐
７：裏面糸台
８：裏面振りかけ糸
９：糸台接着ボンド
１０：印
４０：基台
４１：台材
４２：熱可塑性樹脂
４３：伝熱シート
４４：定着熱源
４５：押し花
６２：飾り板
６３：微細孔
６４：においエレメント
６５：裏板
【図１】
2005081834.tif 000003
【図２】
2005081834.tif 000004
【図３】
2005081834.tif 000005
【図４】
2005081834.tif 000006
【図５】
2005081834.tif 000007
【図６】
2005081834.tif 000008
【図７】
2005081834.tif 000009
【図８】
2005081834.tif 000010
【図９】
2005081834.tif 000011